(57)【要約】【課題】野菜室内での結露を解消して野菜等を良好に保存できる冷蔵庫の提供。【解決手段】冷蔵室７と冷凍室９との間に野菜室８を配置し、当該野菜室及び冷凍室の背面に冷気生成用の冷却室１６を備えた冷蔵庫において、野菜室８内部を左右に仕切ってその一方にペットボトル等収納部５９を設け、前記野菜室８に野菜室ファン５３を設けた構成としてある。これにより、野菜室８内の冷気は、拡散または及び循環され、野菜室８背面下部付近に極端な低温化や温度差が生じるのを抑制して結露発生を防止し、野菜及びペットボトル等を効果的に冷却することができる。【選択図】図１２
2020073836.tif 000002
【特許請求の範囲】
【請求項１】
冷蔵庫本体の上部に冷蔵室、下部に冷凍室、前記冷凍室の上方に仕切板で区画した野菜室を配置し、前記冷凍室の後方に冷気生成用の冷却室を設け、前記冷却室は冷却器と前記冷却器で生成された冷気を各室に供給する冷却ファンとを備え、前記野菜室の野菜収納ケースの後方に前記冷蔵室を循環した冷気が前記冷却器へ戻る戻り通路と前記戻り通路に連通して配置され前記野菜室に冷気を送風する野菜室ファンとを備え、
前記野菜収納ケースはケース仕切板で左右に区画して、左右どちらか一方の区画部にはペットボトルを立てて収納可能とし、ペットボトルを立てて収納可能な区画部の後方に前記野菜室ファンを配置したことを特徴とする冷蔵庫。
【請求項２】
前記野菜収納ケースはケース仕切板で左右に区画して、左右どちらか一方の区画部には一段深くすることでペットボトルを立てて収納可能とし、ペットボトルを立てて収納可能な区画部の後方に前記野菜室ファンを配置したことを特徴とする請求項１に記載の冷蔵庫。
【請求項３】
ケース仕切板で左右に区画された区画部の幅が狭い方の区画部の後方に、野菜室ファンを配置したことを特徴とする請求項１または２に記載の冷蔵庫。
【請求項４】
前記野菜室ファンは、前記野菜収納ケースの後面に対向して配置したことを特徴とする請求項１〜３のいずれか１項に記載の冷蔵庫。
【請求項５】
前記冷却ファンは前記仕切板の上部に取り付けられ、前記野菜室の背面に位置することを特徴とする請求項１〜４のいずれか１項に記載の冷蔵庫。
【請求項６】
野菜室の底面に設けた第一のヒータと、野菜室の背面に設けた第二のヒータを設けた請求項１〜５のいずれか１項に記載の冷蔵庫。
【請求項７】
野菜室の背面に冷蔵室ダンパを設けるとともに、前記第二のヒータは前記冷蔵室ダンパよりも低い位置に設けた請求項６に記載の冷蔵庫。
【発明の詳細な説明】
【技術分野】
【０００１】
本発明は冷蔵庫本体の上下略中央部分に野菜室を設けた冷蔵庫に関するものである。
【背景技術】
【０００２】
一般に家庭用冷蔵庫は、冷蔵庫本体内に温度帯域の異なる複数の貯蔵室、例えば、冷蔵室、野菜室、冷凍室を設けて構成してある。そして、このような複数の貯蔵室を有する冷蔵庫の中には、ユーザが最も使用しやすい冷蔵庫本体の上下略中央部分に野菜室を配置したものが見られる（例えば、特許文献１参照）。
【０００３】
図２３は特許文献１記載の冷蔵庫を示し、冷蔵庫本体１００の上部に冷蔵室１０１、下部に冷凍室１０２を設け、これら両室の間となる冷蔵庫本１００の上下略中央部分に野菜室１０３が配置してある。そして冷蔵庫本体１００の冷凍室１０２と野菜室１０３とにまたがってその背面に冷却室１０４を設け、この冷却室１０４に冷却器１０５と冷却ファン１０６を配置して、当該冷却器１０５で生成した冷気を前記冷却ファン１０６により冷蔵室１０１、野菜室１０３、冷凍室１０２に供給し循環させ、これら各室に貯蔵されている食品を冷却保存するようになっている。なお、上記野菜室１０１は冷蔵室１０４を冷却した後の冷気が供給されて野菜室内に収納した野菜を冷却保存するようになっている。
【先行技術文献】
【特許文献】
【０００４】
【特許文献１】特開平９−１１３１０９号公報
【発明の概要】
【発明が解決しようとする課題】
【０００５】
上記特許文献１に記載されている冷蔵庫、すなわち野菜室１０３が冷蔵庫本体１００の上下略中央部に配置されている冷蔵庫は、真ん中野菜室タイプの冷蔵庫と称され、野菜の出し入れがしやすく、野菜を多用するユーザに重宝されている。
【０００６】
しかしながら、このような冷蔵庫は、野菜室１０３の背面にも冷却室１０４が位置するため、この冷却室１０４から強い冷輻射を受けて野菜室内に結露が生じることがあり、そのような場合この中に収納している野菜を劣化させてしまうという課題があった。
【０００７】
特に、冷蔵庫本体１００の上下略中央部に野菜室１０３が設けてある真ん中野菜室タイプの冷蔵庫は、野菜室１０３の底面がその下方に位置する冷凍室１０２からも冷輻射を受けるため、この冷凍室１０２からの冷輻射も加わってこれら両者の相乗作用により野菜室１０３の背面下部近傍が低温化しやすく、野菜室内の野菜収納ケース背面下部近傍に結露が発生して野菜を劣化させてしまうことが起こりやすかった。
【０００８】
この結露問題は、特開平１１−１１８３１４号公報に開示されているように冷却室を冷凍室の背面のみに設けて野菜室の背面部分には位置させないようにすることによって解決することが考えられる。しかしながら、このような構成にすると、冷却室に設ける冷却器の大きさが限定されて冷却能力に制約が生じ、大能力の大型冷蔵庫には応用できず、よって大型冷蔵庫では冷却室からの冷輻射で生じる結露による野菜劣化問題を解消することができないことになる。すなわち、この結露問題は、冷却室を大きくして冷却室１０４が野菜室背面部分にまで位置することになる大型の冷蔵庫においては避けがたい問題となっていた。
【０００９】
本発明はこのような点に鑑みてなしたもので、冷凍能力の大きな大型の冷蔵庫であっても野菜室内での結露を解消して野菜等を良好に冷却保存できる冷蔵庫を提供することを目的としたものである。
【課題を解決するための手段】
【００１０】
本発明は、上記従来の課題を解決するために、冷蔵庫本体の上部に冷蔵室、下部に冷凍室、前記冷凍室の上方に仕切板で区画した野菜室を配置し、前記冷凍室の後方に冷気生成用の冷却室を設け、前記冷却室は冷却器と前記冷却器で生成された冷気を各室に供給する冷却ファンとを備え、前記野菜室の野菜収納ケースの後方に前記冷蔵室を循環した冷気が前記冷却器へ戻る戻り通路と前記戻り通路に連通して配置され前記野菜室に冷気を送風する野菜室ファンとを備え、前記野菜収納ケースはケース仕切板で左右に区画して、左右どちらか一方の区画部にはペットボトルを立てて収納可能とし、ペットボトルを立てて収納可能な区画部の後方に前記野菜室ファンを配置した構成としてある。
【発明の効果】
【００１１】
本発明の冷蔵庫は、野菜室内部を左右に仕切ってその一方にペットボトル等収納部を設け、前記野菜室に野菜室ファンを設けた構成としてある。これにより、冷却能力が大きな冷蔵庫であっても、野菜室内の冷気は、拡散または及び循環され、野菜室背面下部付近に極端な低温化や温度差が生じるのを抑制して結露発生を防止し、野菜及びペットボトル等を効果的に冷却することができる信頼性の高い冷蔵庫とすることができる。
【図面の簡単な説明】
【００１２】
【図１】本発明の実施の形態１における冷蔵庫の正面図
【図２】同実施の形態１における冷蔵庫の扉を開いた時の正面図
【図３】同実施の形態１における冷蔵庫を示す図２のＡ−Ａ断面図
【図４】同実施の形態１における冷蔵庫を示す図２のＢ−Ｂ断面図
【図５】同実施の形態１における冷蔵庫の半裁斜視図
【図６】同実施の形態１における冷蔵庫の冷気流れを説明するための概略断面図
【図７】同実施の形態１における冷蔵庫の冷気流れを説明する概略正面図
【図８】同実施の形態１における冷蔵庫の冷却室背面部分の冷気流れを説明する斜視図
【図９】同実施の形態１における冷蔵庫を示す図３の要部拡大断面図
【図１０】同図９における冷気流れを説明するための概略断面図
【図１１】同実施の形態１における冷蔵庫を示す図４の要部拡大断面図
【図１２】同図１１における冷気流れを説明するための概略断面図
【図１３】同実施の形態１における冷蔵庫の野菜室と冷凍室を示す拡大正面図
【図１４】同図１３に示す冷蔵庫の野菜室と冷凍室の背面に設置された冷却ファンと冷却器を示す拡大正面図
【図１５】同実施の形態１における冷蔵庫の野菜室と冷凍室の背面壁部分を示す拡大斜視図
【図１６】同図１５に示す冷蔵庫の野菜室の背面壁部分を構成する奥面仕切壁ブロックの斜視図
【図１７】同図１６に示す野菜室の背面壁部分を構成する奥面仕切壁ブロックの分解斜視図
【図１８】同図１６に示す冷凍室の背面壁部分を構成するブロックの分解斜視図
【図１９】同実施の形態１における冷蔵庫の貯蔵室と野菜室を仕切る仕切板と冷却ファンの斜視図
【図２０】同図１９における仕切板と冷却ファンの分解斜視図
【図２１】同実施の形態１における冷蔵庫の野菜収納ケースを示す斜視図
【図２２】同実施の形態１における冷蔵庫の制御ブロック図
【図２３】従来の冷蔵庫の概略断面図
【発明を実施するための形態】
【００１３】
第１の発明は、冷蔵庫本体の上部に冷蔵室、下部に冷凍室、前記冷凍室の上方に仕切板で区画した野菜室を配置し、前記冷凍室の後方に冷気生成用の冷却室を設け、前記冷却室は冷却器と前記冷却器で生成された冷気を各室に供給する冷却ファンとを備え、前記野菜室の野菜収納ケースの後方に前記冷蔵室を循環した冷気が前記冷却器へ戻る戻り通路と前記戻り通路に連通して配置され前記野菜室に冷気を送風する野菜室ファンとを備え、前記野菜収納ケースはケース仕切板で左右に区画して、左右どちらか一方の区画部にはペットボトルを立てて収納可能とし、ペットボトルを立てて収納可能な区画部の後方に前記野菜室ファンを配置したものである。
【００１４】
第２の発明は、第１の発明で、前記野菜収納ケースはケース仕切板で左右に区画して、左右どちらか一方の区画部には一段深くすることでペットボトルを立てて収納可能とし、ペットボトルを立てて収納可能な区画部の後方に前記野菜室ファンを配置したものである。
【００１５】
第３の発明は、第１または第２の発明で、ケース仕切板で左右に区画された区画部の幅が狭い方の区画部の後方に、野菜室ファンを配置したものである。
【００１６】
第４の発明は、第１から第３の発明のいずれかで、前記野菜室ファンは、前記野菜収納ケースの後面に対向して配置したものである。
【００１７】
第５の発明は、第１から第４の発明のいずれかで、前記冷却ファンは前記仕切板の上部に取り付けられ、前記野菜室の背面に配置したものである。
【００１８】
第６の発明は、第１から第５の発明のいずれかで、野菜室の底面に設けた第一のヒータと、野菜室の背面に設けた第二のヒータを設けたものである。
【００１９】
第７の発明は、第６の発明で、野菜室の背面に冷蔵室ダンパを設けるとともに、前記第二のヒータは前記冷蔵室ダンパよりも低い位置に設けたものである。
【００２０】
以下、本発明の実施の形態について、図面を参照しながら説明する。尚、この実施の形態によって本発明が限定されるものではない。
【００２１】
（実施の形態１）
図１は本発明の実施の形態１における冷蔵庫の正面図、図２は同実施の形態１における冷蔵庫の扉を開いた時の正面図、図３は同実施の形態１における冷蔵庫を示す図２のＡ−Ａ断面図、図４は同実施の形態１における冷蔵庫を示す図２のＢ−Ｂ断面図、図５は同実施の形態１における冷蔵庫の半裁斜視図、図６は同実施の形態１における冷蔵庫の冷気流れを説明するための概略断面図、図７は同実施の形態１における冷蔵庫の冷気流れを説明する概略正面図、図８は同実施の形態１における冷蔵庫の冷却室背面部分の冷気流れを説明する斜視図、図９は同実施の形態１における冷蔵庫を示す図３の要部拡大断面図、図１０は同図９における冷気流れを説明するための概略断面図、図１１は同実施の形態１における冷蔵庫を示す図４の要部拡大断面図、図１２は同図１１における冷気流れを説明するための概略断面図、図１３は同実施の形態１における冷蔵庫の野菜室と冷凍室を示す拡大正面図、図１４は同図１３に示す冷蔵庫の野菜室と冷凍室の背面に設置された冷却ファンと冷却器を示す拡大正面図、図１５は同実施の形態１における冷蔵庫の野菜室と冷凍室の背面壁部分を示す拡大斜視図、図１６は同図１５に示す冷蔵庫の野菜室の背面壁部分を構成する奥面仕切壁ブロックの斜視図、図１７は同図１６に示す野菜室の背面壁部分を構成する奥面仕切壁ブロックの分解斜視図、図１８は同図１６に示す冷凍室の背面壁部分を構成するブロックの分解斜視図、図１９は同実施の形態１における冷蔵庫の貯蔵室と野菜室を仕切る仕切板と冷却ファンの斜視図、図２０は同図１９における仕切板と冷却ファンの分解斜視図、図２１は同実施の形態１における冷蔵庫の野菜収納ケースを示す斜視図、図２２は同実施の形態１における冷蔵庫の制御ブロック図である。
【００２２】
まず、冷蔵庫の全体構成について説明する。
【００２３】
＜冷蔵庫本体構成＞
図１〜図６において、本実施の形態に係る冷蔵庫は、前方を開口した冷蔵庫本体１を備え、この冷蔵庫本体１は、図３等に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５．６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００２４】
冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００２５】
また、冷蔵庫本体１の背面には冷気を生成する冷却室１６が設けられている。この冷却室１６は冷凍室９の背面から野菜室８の下部背面に渡って形成されており、野菜室８との間は発泡スチロール等によって断熱性を持たせた奥面仕切壁体１７を設けて断熱仕切りしている。
【００２６】
冷却室１６内には冷却器１８が配設されており、冷却器１８の上部には冷却ファン１９が配置されている。前記冷却ファン１９は、冷却器１８により冷却された冷気を冷蔵室７、野菜室８、冷凍室９に強制循環させて各室を冷却するものである。例えば、冷蔵室７は食品が凍らない程度の温度通常１℃〜５℃に冷却し、野菜室８は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００２７】
上記冷却ファン１９は図１９に示すように野菜室８と冷凍室９とを仕切る仕切板６に組み付けてあり、この状態で冷却ファン１９は図９に示すように野菜室８の背面と対向する部分に位置し、野菜室８との間を仕切る奥面仕切壁体１７に向けて冷気を送風し、野菜室下部背面に強い冷輻射をもたらす。
【００２８】
上記仕切板６と冷却ファン１９は図２０の分解斜視図に示すように構成されている。すなわち、仕切板６は上面部材６ａと下面部材６ｂとの間に発泡断熱材４（この図２０では図示せず）を充填して構成されていて、奥部側に開口２０が形成されている。この開口２０の上部に前記した冷却ファン１９が組み付けられており、下方には前記冷却室１６の冷却器１８が位置している。上記開口２０はその下方に位置する冷却器１８の上面投影面積よりも大きく形成されるとともに、下面部材６ｂの開口背面側縁部分の下面には下方に突出する突片２１が、また上面には上面部材６ａの開口縁よりも上方に突出する上向き突片２２がそれぞれ形成されている。また、仕切板６には冷却ファン１９よりも前方の野菜室底面となる部分にシーズヒータ等からなる結露防止用の第一のヒータ２３が埋設されている。この仕切板６は、図示しないが上面部材６ａと下面部材６ｂとを組み合わせて中空板体状に形成し、冷蔵庫本体１の内・外箱２，３間に連通する如く装着して冷蔵庫本体１とともに発泡断熱材４を充填させ冷蔵庫本体１と一体化してある。また、この仕切板６を冷蔵庫本体１に一体化する際、図示しない治具を前記突片２１及び上向き突片２２に押し当ててそのまま冷蔵庫本体１の内箱３奥面に押し付けることにより仕切板６を所定位置に位置決め保持し、冷蔵庫本体１への発泡断熱材４の充填によって冷蔵庫本体側から上・下面部材６ａ、６ｂ間に発泡断熱材４を充填発泡させることにより冷蔵庫本体１と一体化してある。
【００２９】
なお、図中２４は開口２０の開口縁前方部分を覆う断熱性遮壁で、発泡スチロール等で構成されており、その一側部片には仕切板６に設けられている冷気戻り通路用開口２５と対応する通路開口２６が形成されている。また、仕切板６の冷気戻り通路用開口２５と反対側部分には冷凍室９に設けられる製氷装置への水供給用のタンク設置部２７が形成されている。
【００３０】
また、前記冷却器１８の下部空間には、図９等に示すように冷却器１８やその周辺に付着する霜や氷を除霜する除霜ヒータ２８が配置されている。除霜ヒータ２８の下部には除霜時に生じる除霜水を受けるためのドレンパン２９が配置され、除霜水はドレンパン２９の最深部から図示しないドレンチューブを介して庫外の蒸発皿に排出するようになっている。
【００３１】
次に冷気循環構成について説明する。
【００３２】
＜冷気循環通路構成＞
冷気を生成する冷却室１６は、図９等に示すように前記した奥面仕切壁体１７と冷蔵庫本体１との間に形成されている冷却室冷気搬送路３０に冷却ファン１９の下流が開口しており、この冷却室冷気搬送路３０を介して各室に冷気を送風する。
【００３３】
冷却室冷気搬送路３０の上部は図７、図８、図１０、特に図１０に示すように冷蔵室ダンパ３１を介して冷蔵室７の背面略中央部に形成されている冷蔵冷気往き通路３２と連通している。冷蔵冷気往き通路３２の側方には図７、図８に示すように冷蔵室７からの冷蔵冷気戻り通路３３が隣接設置されていて、その下部は野菜室８、冷却室１６に連通している。
【００３４】
冷蔵室７には図７に示すようにその奥壁上部適所に冷蔵冷気往き通路３２の冷蔵冷気入口３５が設けてあり、同奥壁下部適所には前記冷蔵冷気戻り通路３３へ開口する冷蔵冷気戻り口３６が設けられていて、冷却室１６からの冷気は冷蔵室ダンパ３１を介して冷蔵冷気往き通路３２に供給され、その冷蔵冷気入口３５から冷蔵室７に供給される。一方、冷蔵室冷却後の冷気は冷蔵冷気戻り口３６から冷蔵冷気戻り通路３３を介して野菜室８に供給され、かつ冷却室１６へと循環する。また、この冷蔵室７には後述するようにその下部にパーシャル室が設けられていて、当該パーシャル室には図８に示すようにパーシャル室ダンパ３１ａ、パーシャル室冷気往き通路３２ａ、パーシャル室冷気入口３５ａを介して供給されるようになっている。
【００３５】
この実施の形態では、同図８から明らかなように、前記奥面仕切壁体１７と仕切板６の背面に、前記冷却室冷気搬送路３０と冷蔵冷気往き通路３２及びパーシャル室冷気往き通路３２ａとを連絡する往き通路３７と、冷蔵冷気戻り通路３３と野菜室８、冷却室１６とを連絡する戻り通路３８が形成されていて、前記冷蔵室ダンパ３１はこの往き通路３７に設けられている。
【００３６】
そして、前記冷蔵冷気往き通路３２と冷蔵冷気戻り通路３３との間に連通路３９が形成されていて、冷蔵冷気往き通路３２を流れる低温冷気の一部が冷蔵冷気戻り通路３３に混入するように構成されている。
【００３７】
また、冷凍室９の背面には図８に示すように前記冷却室１６の冷却ファン１９及び冷却器１８の側方を下向きに延びる冷気戻りダクト４０が設けられており、この冷気戻りダクト４０の上部が上記戻り通路３８を介して野菜室８に連通するとともにその下部が冷却室１６の下部近傍に開口していて、前記野菜室８冷却後の冷気が冷気戻りダクト４０を介してその下部開口から冷却室１６へと循環するように構成されている。
【００３８】
一方、冷凍室９は図１０に示すようにその背面壁体４１の上部に前記奥面仕切壁体１７背面の冷却室冷気搬送路３０下部に連通する冷凍冷気入口４２が、下部に前記冷却室１６の下部に開口する冷凍冷気戻り口４３が形成されていて、冷却室１６からの冷気が冷却室冷気搬送路３０下部から冷凍冷気入口４２を介して供給され、冷凍室冷却後の冷気が冷凍冷気戻り口４３を介して冷却室１６へと循環する。
【００３９】
＜野菜室構成＞
野菜室８は図７、図１２に示すように奥壁左右いずれか一方寄り部分、この実施の形態では正面から見て右側部分の下部であって前記冷蔵冷気戻り通路３３からの戻り通路３８部分に開口した野菜冷気入口４４が設けられ、この野菜冷気入口４４の略上方位置部分に前記戻り通路３８に開口して冷却室１６へとつながる野菜冷気戻り口４６が設けられている。
【００４０】
さらにこの野菜室８には、特に図１２に示すように当該野菜室８背面の奥面仕切壁体１７を利用して前記冷気の戻り通路３８の前面位置に上下方向に野菜室通路部５０が縦設形成されている。この野菜室通路部５０はその上部が前記野菜冷気戻り口４６に連通し、下部は野菜冷気入口４４と連通していて、この野菜冷気入口４４と連通する部分にプロペラファン等からなる野菜室ファン５３が配置してある。
【００４１】
さらにまた、この野菜室８には上記野菜室通路部５０と野菜冷気戻り口４６とにつながるよう野菜室上面に前方に向かって第一の通路４７ａが形成されていて、その前方部分には第一の野菜冷気吸込み口４７が設けられている。
【００４２】
加えてこの実施の形態の野菜室８には図１３、図１６等に示すようにその奥の面となる奥面仕切壁体１７の上部であって前記野菜冷気入口４４の対角位置となる部分、この実施の形態では左奥側上部に、第二の野菜冷気吸込み口５１が設けられており、この第二の野菜冷気吸込み口５１を備えた第二の通路５１ａも図１２に示すように前記野菜室通路部５０の上部と野菜冷気戻り口４６に連通している。
【００４３】
図１７は上記野菜室通路部５０を形成している奥面仕切壁体１７の分解斜視図で、野菜室通路部５０は発泡スチロール（図示せず）を介して重合させた前仕切板１７ａと後仕切板１７ｂとの間に形成されており、その上端部分５０ａは図１２に示すように前記野菜冷気戻り口４６に開口している。さらにこの野菜室通路部５０の下部には既に述べたように野菜室ファン５３が組み込まれており、その吹出口５４は野菜室８内に開口していて、野菜冷気入口４４からの冷気と第一の野菜冷気吸込み口４７及び第二の野菜冷気吸込み口５１からの野菜室冷気を野菜室８内に送風するようになっている。上記野菜室ファン５３の吹出口５４は後述する下段野菜収納ケース４９ａの後面に向かって開口しており、当該野菜室ファン５３と対向する前記下段野菜収納ケース４９ａの後下部は下方ほど前方に位置する傾斜面５５となっていて、野菜室ファン５３からの冷気が下段野菜収納ケース４９ａの下面空間へと集中的に流れる様に構成されている。
【００４４】
また、上記奥面仕切壁体１７の前記冷却室１６と対向する面には図１０に示すようにシーズヒータ等からなる結露防止用の第二のヒータ５６が埋設してある。この第二のヒータ５６は前記冷却室１６の上部と対向する位置であって冷却室１６から冷蔵室７への冷気を開閉する冷蔵室ダンパ３１よりも下方位置の低温の冷却室温度帯域に設置されている。すなわち、この第二のヒータ５６は野菜室８の奥面全体を構成する奥面仕切壁体１７のうち特に冷却室１６から冷蔵室ダンパ３１に至る間の冷却室温度帯域と対向する部分に設けて小型化を図っている。
【００４５】
更にこの低温の冷却室温度帯域となる冷却室冷気搬送路３０内には前記冷却ファン１９、仕切板６内の第一のヒータ２３、奥面仕切壁体１７内の第二のヒータ５６等の電気部材のコネクタ接続部（ボックス５７（図１４参照））が設置されており、この冷却室温度帯域となる冷却室冷気搬送路３０内で電気的接続がなされている。
【００４６】
なお、上記野菜室８には、図１１等に示すように野菜収納ケース４８が配置されており、この野菜収納ケース４８は扉１１のフレームに載置された下段野菜収納ケース４９ａと、下段野菜収納ケース４９ａの上に載置された上段野菜収納ケース４９ｂとから構成されている。そして上記野菜室８は上記野菜収納ケース４８とその下の仕切板６及び野菜室８の内周壁面との間に空間が設けられ、当該空間は前記野菜冷気入口４４からの冷気が流れる風路を構成している。
【００４７】
また、上記野菜収納ケース４８の上段野菜収納ケース４９ｂの上部開口縁は野菜室８上部の仕切板６と近接した部分に位置するとともに前記野菜冷気入口４４より上方部分に位置していて、野菜冷気入口４４からの冷気が野菜収納ケース４８の上段野菜収納ケース４９ｂ及び下段野菜収納ケース４９ａ内に直接入り込むことがないように構成されている。上段野菜収納ケース４９ｂの上部開口にこれを閉塞する蓋を設けて冷気の野菜収納ケース４８内への侵入をより確実に防止するようにしてもよい。
【００４８】
また、下段野菜収納ケース４９ａは図２１に示すようにケース仕切板５８によって左右に分割されており、前記野菜冷気入口４４と対向する側、この実施の形態では右側部分を一段深くしてペットボトルやパック等の非野菜収納部（以下、ペットボトル等収納部と称す）５９としてある。なお、このペットボトル等収納部５９は野菜室８内を前後に仕切ってその前側部分をペットボトル等収納部としてもよい。
【００４９】
＜冷蔵室構成＞
冷蔵室７は図４等に示すように内部に複数の収納棚６０を有するとともに、準冷凍温度帯に冷却できるパーシャル室６１を備え、それぞれの適所に既に述べた冷蔵冷気入口３５及び冷蔵冷気戻り口３６（いずれも図７参照）が設けられている。そして、冷蔵室７の側壁適所には各室の庫内温度設定や製氷および急速冷却などの設定を行う操作部６２が配置されている。
【００５０】
＜冷凍室構成＞
また、冷凍室９は既に図１０を用いて述べたようにその奥壁上部に前記奥面仕切壁体１７背面の冷却室冷気搬送路３０下部と連通する冷凍冷気入口４２が形成され、さらに奥壁下部に前記冷凍室９に連通する冷凍冷気戻り口４３が形成されている。そして構造図には図示していないが、冷却室１６から冷凍室９への通路の適所にも冷凍室ダンパが組み込まれている。なお、この冷凍室９にも、図４等に示すようにその扉１２のフレームに載置された冷凍室ケース６３が設けられており、更にその冷凍室ケース６３の上部には製氷装置６４が組み込まれている。
【００５１】
次にこの冷蔵庫の制御構成について説明する。
【００５２】
＜制御構成＞
図２２は本実施の形態の冷蔵庫における制御ブロック図を示し、６５は冷蔵室温度検知手段、６６は野菜室温度検知手段、６７は冷凍室温度検知手段で、いずれもサーミスタで形成してあり、それぞれ冷蔵室７、野菜室８、冷凍室９の適所に設置されている。６８は冷蔵庫全体を統括制御する制御部で、マイクロコンピュータ等によって構成してあり、前記冷蔵室温度検知手段６５、冷凍室温度検知手段６７からの出力に基づきあらかじめ組み込まれた制御ソフトにしたがって冷蔵室ダンパ３１、冷凍室ダンパ３４を開閉制御するとともに、圧縮機１５、冷却ファン１９を駆動して各室を設定温度に制御する。さらにこの制御部６８は冷蔵室温度検知手段６５及び野菜室温度検知手段６６からの出力に基づき野菜室８の野菜室通路部５０に組み込んだ野菜室ファン５３の運転を制御するようになっている。具体的には冷蔵室温度検知手段６５及び野菜室温度検知手段６６が検出する温度がそれぞれの設定温度よりも高い温度をいずれか一方が検知すると野菜室ファン５３を駆動するようになっている。さらにまた、上記制御部６８は野菜室温度検知手段６６からの出力に基づき第一のヒータ２３、第二のヒータ５６を駆動するようになっている。
【００５３】
以上のように構成された冷蔵庫について、以下その動作、作用を説明する。
【００５４】
まず、冷凍サイクルの動作について説明する。
【００５５】
庫内の設定された温度に応じて制御部６８からの信号により冷凍サイクルが動作し冷却運転が行われる。圧縮機１５の動作により吐出された高温高圧の冷媒は、凝縮器（図示せず）である程度凝縮液化し、さらに冷蔵庫の側面や背面、また冷蔵庫の前面間口に配設された冷媒配管（図示せず）などを経由し冷蔵庫の結露を防止しながら凝縮液化し、キャピラリーチューブ（図示せず）に至る。その後、キャピラリーチューブでは圧縮機１５への吸入管（図示せず）と熱交換しながら減圧されて低温低圧の液冷媒となって冷却室の冷却器１８に至る。ここで、前記冷却器１８内の冷媒は蒸発気化し、当該冷却器１８を有する冷却室１６で各貯蔵室を冷却するための冷気が生成される。
【００５６】
次に冷気循環による冷却動作について説明する。
【００５７】
冷却室１６内で生成された低温の冷気は、冷却ファン１９によって、冷却室冷気搬送路３０から冷蔵室７と冷凍室９に送られ、冷蔵室７に供給された冷気は冷蔵室７を冷却した後、野菜室８に供給され、それぞれの室が設定温度に冷却される。そして、各室を冷却したのちの冷気は、再び冷却室１６に戻って冷却器１８により冷却され、冷却ファン１９で各室に循環していく。また、上記各室への冷気供給は、制御部６８が冷蔵室温度検知手段６５及び冷凍室温度検知手段６７の検出温度に基づき圧縮機１５と冷却ファン１９を運転／停止、及び冷蔵室ダンパ３１、冷凍室ダンパ３４を開・閉制御され、それぞれの室が設定温度帯に維持されるようになっている。
【００５８】
次に、野菜室８の冷却動作について説明する。
【００５９】
野菜室８は冷蔵冷気戻り通路３３からの冷蔵室冷却後の冷気が図１２に示すように冷気の戻り通路３８に設けられている野菜冷気入口４４から供給されて冷却される。この冷気は冷却ファン１９の送風圧によって野菜冷気入口４４から野菜室通路部５０を介して緩やかに野菜室８に流れ込み、野菜収納ケース４８の下段野菜収納ケース４９ａ及び上段野菜収納ケース４９ｂと野菜室８の内周壁との間の空間を流れ、この野菜収納ケース４８内に収納されている野菜やペットボトル等をケース外周から間接的に冷却し、野菜冷気戻り口４６から冷蔵冷気戻り通路３３を経由して冷気戻りダクト４０から冷却室１６へと循環する。
【００６０】
ここで、この実施の形態で示す冷蔵庫では図１２で示したように野菜室８の野菜室通路部５０に野菜室ファン５３が設けられており、野菜室ファン５３が回転すると、戻り通路３８を流れる戻り冷気の多くが前記野菜冷気入口４４から野菜室通路部５０内へと吸引され、
野菜室ファン５３の吹出口５４より野菜室８内の下段野菜収納ケース４９ａ後面に向かって供給されることになる。
【００６１】
野菜室８の下段野菜収納ケース４９ａに向かって供給された冷気は、下段野菜収納ケース４９ａ及び上段野菜収納ケース４９ｂと野菜室８の底面及び内周壁との間の空間を前記冷却ファン１９の送風圧によって循環する際の流れよりも早く流れ、野菜冷気戻り口４６から戻り通路３８を介して冷却室１６へと戻り循環する。その際、冷却室１６へと戻り循環する冷気以外の冷気は野菜室８の上部に設けた第一の野菜冷気吸込み口４７及び第二の野菜冷気吸込み口５１より第一の通路４７ａ及び第二の通路５１ａに吸引され、これらの通路と連通している野菜室通路部５０の上部開口から野菜室ファン５３に吸引されて当該野菜室ファン５３の吹出口５４から再び野菜室８内の下段野菜収納ケース４９ａに向けて供給され、野菜室８内を拡散または及び循環する。
【００６２】
次に、野菜室８の結露防止について説明する。
【００６３】
野菜室８は前記のようにして冷却されるが、その背面に位置している冷却室１６及び下方に位置する冷凍室９からの冷輻射を受け、従来と同様その背面下部近傍が低温化しやすい。特に冷却室１６からの冷輻射が強く、野菜室８背面への冷輻射は、冷却室１６自体はもちろん冷却室１６から冷蔵室ダンパ３１に至るまでの冷却室冷気搬送路３０帯域がこの冷却室１６と同じ極低温帯の冷却室温度域となっていてこの冷蔵室ダンパ３１までの冷却室温度帯域と対向する部分で強い冷輻射を受け、この部分が低温化しやすい。
【００６４】
この冷輻射による野菜室背面下部近傍の低温化は、この冷蔵庫では、まず、前記した野菜室ファン５３の駆動によって野菜室８内を拡散または及び循環する冷気により温度が分散され、低温化を抑制する。すなわち、野菜室ファン５３によって野菜室８内の冷気は拡散または及び循環され、この拡散または及び循環する冷気は、野菜室８の背面に位置する冷却室温度帯域からの冷輻射および下方に位置する冷凍室９からの冷輻射によって低温化しやすい野菜室背面下部付近の温度を野菜室８内に拡散させ、野菜室８内の温度を下げて野菜室８内を冷却すると同時に、野菜室背面下部付近に極端な低温化や温度差が生じるのを抑制し、結露発生を防止する。
【００６５】
このようにして野菜室８内の局部的な低温化を抑制しているものの、この状態が長時間続くと前記野菜室ファン５３による冷気の拡散または及び循環では冷温化を抑制しきれず結露発生しやすい温度まで低下することがある。
【００６６】
このような場合、この冷蔵庫は制御部６８が野菜室背面の冷却室温度帯域と対向する部分に設けた第二のヒータ５６を発熱させる。これにより、冷却室温度帯域からの冷輻射による野菜室背面下部近傍の温度低下は確実に抑制され、結露発生に至るような事態を回避することができる。特にこの実施の形態では野菜室８と冷凍室９とを仕切る仕切板６に第一のヒータ２３を設けて、前記第二のヒータ５６とともに第一のヒータ２３も発熱させるので、冷凍室９からの冷輻射も確実に抑制することができ、効率よく野菜室背面下部近傍の低温化を防止して結露発生による野菜の劣化等を防止することができる。
【００６７】
また、上記第二のヒータ５６は野菜室８の背面壁となる奥面仕切壁体１７のうち、冷却室１６から冷蔵室ダンパ３１に至る冷却室温度帯域に限定して設けてあるから、小型化でき、コストアップ及び消費電力を最小限に抑えつつ低温化しやすい部分の温度を上げて当該部分が低温化するのを確実に防止することができ、効率よく結露発生を抑制することができる。
【００６８】
以上のようにしてこの冷蔵庫は野菜室８の局部的な低温化による結露発生を防止するから、冷気生成用の冷却器１８を大型化して冷却室１６が冷凍室９と野菜室８にまたがる大きな大能力の大型冷蔵庫であっても、その冷却室１６からの冷輻射に起因する結露を抑制することができる。したがって、小能力の小型冷蔵庫から大能力の大型冷蔵庫に至る全域の冷蔵庫において、その冷却室１６からの冷輻射で生じる結露水による野菜劣化を抑制し、良好な状態で野菜を冷却保存することが可能となる。しかも、この冷蔵庫は、野菜室８を冷蔵室７と冷凍室９との間となる冷蔵庫本体１上下略中央部分に設けた真ん中野菜室タイプの冷蔵庫となっているから、前記した如く結露発生を防止して野菜を良好な状態に冷却保存しつつ、野菜等の出し入れを中心に使用されるユーザの使い勝手を高めることができ、効果的である。
【００６９】
一方、上記した冷蔵庫は、前記第一のヒータ２３を埋設した仕切板６を、冷蔵庫本体の内・外箱２，３間に連通する如く装着して冷蔵庫本体成型時に当該冷蔵庫本体１とともに発泡断熱材４を充填させ冷蔵庫本体１と一体化するとともに、奥面仕切壁体１７は野菜室８の背面に冷却室１６を形成する如く冷蔵庫本体１に装着した構成としてあるから、仕切板６も冷蔵庫本体１と同様高い断熱性を有する発泡断熱材４によって断熱することができ、その断熱性が向上して、冷凍室９から野菜室８への冷輻射量を低減できると同時に、仕切板６自体の厚みも薄くできて、その分野菜室８あるいは冷凍室９の容量を増大させることができる。
【００７０】
また、その際、すなわち、仕切板６を冷蔵庫本体１に一体化する際、仕切板６は既に述べたように図示しない治具を前記突片２１及び上向き突片２２に押し当ててそのまま冷蔵庫本体１の内箱３奥面に押し付けることにより仕切板６を所定位置に位置決め保持し、冷蔵庫本体１側から上・下面部材６ａ、６ｂ間に発泡断熱材４を充填発泡させて一体化しているので、冷蔵庫本体１の成型と同時に一体化でき、生産性が向上する。
【００７１】
加えて、野菜室８の奥面壁を構成する奥面仕切壁体１７は冷蔵庫本体成型後に後付する構成とし、かつ、冷却ファン１９は仕切板６の上部に取り付けて野菜室８の背面に位置する構成とてあるから、冷却ファン１９は奥面仕切壁体１７を装着する前に野菜室８の内側から仕切板６に取り付けることができるとともに、奥面仕切壁体１７を着脱すれば冷却ファン１９のメンテナンスもすることもでき、組立及びメンテ性の良い冷蔵庫とすることができる。
【００７２】
以上のようにこの冷蔵庫は野菜室８内に生じる結露を防止して野菜等を良好な状態に冷却保存でき、しかも生産性及びメンテ性もよいものであるが、更にこの冷蔵庫は野菜室冷却に関しても種々の効果を有するものであるので、以下これを説明しておく。
【００７３】
まず、上記野菜室８に設けた野菜室ファン５３は、野菜収納ケース４８の下段野菜収納ケース４９ａ及び上段野菜収納ケース４９ｂの外周に向けて冷気を拡散または及び循環させる構成としてあるから、野菜室ファン５３によって拡散または及び循環する冷気が下段野菜収納ケース４９ａ及び上段野菜収納ケース４９ｂ内に入って野菜同士の間を流れることを抑制でき、野菜同士の間を冷気が流れることによって生じがちな野菜の乾燥劣化も防止して新鮮かつ良好な状態で野菜を冷却保存することができる。
【００７４】
特にこの実施の形態では上記下段野菜収納ケース４９ａ及び上段野菜収納ケース４９ｂで構成される野菜収納ケース４８の上部に野菜室内を拡散または循環する冷気の吸込み口ともなる第一の野菜冷気吸込み口４７及び第二の野菜冷気吸込み口５１を設けているから、野菜室８内を拡散または及び循環する冷気は下段野菜収納ケース４９ａ及び上段野菜収納ケース４９ｂからなる野菜収納ケース４８内に入り込むことなくそのまま第一の野菜冷気吸込み口４７及び第二の野菜冷気吸込み口５１へと流れる様になり、より確実に野菜の乾燥劣化を防止して新鮮かつ良好な状態で野菜を冷却保存することができる。これは上段野菜収納ケー４９スの上面開口縁を野菜室天井面ともなる仕切板５に近接させることでより高めることができるとともに、当該上面面開口を覆う蓋を設ければさらに効果的に高めることができる。
【００７５】
加えて、上記野菜室ファン５３は下段野菜収納ケース４９ａ及び上段野菜収納ケース４９ｂで構成される野菜収納ケース４８の上部開口縁より下方部分に位置しているから、野菜室ファン５３から送風される冷気は野菜収納ケース４８のうち、特にその下段野菜収納ケース４９ａの底面及び下部外周付近を拡散または及び循環するようになる。したがって、この野菜室ファン５３によって拡散または及び循環する冷気はさらに野菜収納ケース４８内に入り込みにくいものとなり、野菜収納ケース４８内に冷気が入り込んで循環することにより生じる野菜の乾燥劣化をこの点からも確実に防止することができ、より新鮮かつ良好な状態で野菜を冷却保存することができる。
【００７６】
また、上記野菜室８は野菜冷気入口４４に連通する野菜室通路部５０を有し、この野菜室通路部５０の下部に野菜室ファン５３を備えているから、野菜室通路部５０がスロートのような機能を発揮して冷気を効率よく野菜室８に取り込み拡散または及び循環させることができ、これにより野菜室８内での結露発生をさらに効率よく抑制することができる。
【００７７】
加えて、この実施の形態では上記野菜収納ケース４８はその下段野菜収納ケース４９ａの内部を左右に仕切ってその一方にペットボトルやパック等のペットボトル等収納部５９を設け、このペットボトル等収納部５９側の野菜室背面部分に野菜室ファン５３を設けて、当該ペットボトル等収納部５９に向けて野菜室内の冷気を拡散または及び循環させるように構成してあるから、野菜室ファン５３からの冷気はペットボトル等収納部５９の周りを集中的に循環するようになり、ペットボトル等収納部５９に収納されているペットボトルやパック等を効率よく冷却することができる。特にペットボトル等収納部５９に収納されているペットボトルやパック等の飲料水等は野菜よりも熱容量が大きくて冷えにくいことから効果的であり、これによってペットボトル等の収納による野菜室温度の上昇を効率よく抑制することができる。
【００７８】
またこの実施の形態では、野菜室ファン５３とともに野菜室８に設けた第一の野菜冷気吸込み口４７をも野菜収納ケース４８のペットボトル等収納部５９側の部分に設けた構成としてあるから、野菜室ファン５３から野菜冷気戻り口４６への冷気をペットボトル等収納部分にさらに効率よく集中的に循環させることができ、効果的である。
【００７９】
また、野菜室８内の冷気を循環させるためのもう一つの吸込み口ともなる第二の野菜冷気吸込み口５１を野菜室ファン５３と略対角位置の野菜室上部に設けた構成としてあるから、野菜室ファン５３からの冷気は野菜収納ケース４８のペットボトル等収納部５９の底面部分を通って前方へと野菜室８内を斜めに縦断しながら拡散または及び循環して野菜室上部の第二の野菜冷気吸込み口５１へと流れる様になるので、下段野菜収納ケース４９ａ及び上段野菜収納ケース４９ｂからなる野菜室ケース内への冷気の入り込みを防止しつつ下段野菜収納ケース４９ａ及び上段野菜収納ケース４９ｂからなる野菜ケースの外周に広範囲に冷気を拡散または及び循環させることができ、野菜及びペットボトル等を効果的に冷却することができる。
【００８０】
また、この冷蔵庫は、冷蔵冷気往き通路３２と冷蔵冷気戻り通路３３との間に連通路３９が形成してあり、野菜室ファン５３が回転するとその吸引力によって冷蔵冷気往き通路３２内の低温な新鮮冷気が冷蔵冷気戻り通路３３内に混入して戻り通路３８を介し野菜冷気入口４４から野菜室８内に供給される。すなわち、野菜室８は、冷蔵室７からの冷蔵室冷却後の比較的温度が高くなっている戻り冷気によって冷却されるが、この冷蔵庫では野菜室ファン５３の回転により前記冷蔵室冷却後の冷気に低温の新鮮冷気が混入して低温化された冷気で野菜室８を冷却することになる。したがって野菜室８を効果的に冷却することができ、例えば、野菜やペットボトル等が一時的に多く収納された時などのように冷却負荷条件が悪いときでも、野菜室８を確実に冷却することができる。また、上記連通路３９を介して取り込む低温の新鮮冷気の量は野菜室ファン５３の回転数を上げることによって増加させることができ、夏場で熱容量の大きい常温のペットボトル等が大量に収納された時でも、これを確実に冷却することができる。しかも野菜室８を確実に冷却できるので、冷却室１６からの冷輻射による結露発生も効率よく抑制でき、野菜を良好な状態で冷却保存することができる。
【００８１】
上記野菜室ファン５３は、冷蔵室温度検知手段６５からの出力によって冷蔵室ダンパ３１を開いて冷蔵室７及び野菜室８を冷却しているときに作動し野菜室８内の冷気を拡散または及び循環させるが、この実施の形態では野菜室８に設けた野菜室温度検知手段６６の検出温度に基づいても制御するようにしてあるから、冷蔵室７の温度が高くて冷却動作を行なっていないときでも野菜室８の温度が設定温度以上になると回転し始め、野菜室８内に冷気を拡散または及び循環させるようになる。したがって、野菜室温度が高くなって冷却室１６からの冷輻射により大きな温度差が生じ結露が発生しやすい条件になると、野菜室ファン５３が回転してこれを解消し、効果的に結露発生を防止することができる。
【００８２】
また、上記野菜室８の温度が、野菜室ファン５３の回転にもかかわらず前記設定温度よりも若干高い温度に設定している第二設定温度より高くなるようなことがあれば、野菜室ファン５３の回転数を上げて冷気の拡散または及び循環量を増強し、更には低温の新鮮冷気の取り込み混入量を増加させることができ、野菜室８を確実に冷却することができる。よって、夏場における冷却不足を解消し野菜等の良好な冷却保存を確実に実現して冷蔵庫の信頼性を高めることができる。
【００８３】
以上、本発明の実施の形態を説明してきたが、上記実施の形態で説明した構成は本発明を実施する一例として示したものであり、本発明の目的を達成する範囲で種々変更可能なことは言うまでもない。
【００８４】
例えば、この実施の形態では結露防止用のヒータとして野菜室８の背面とともに底面の仕切板６にも設けたが、この野菜室底面の第一のヒータ２３は冷凍室９からの冷輻射の程度によってはなくしてもよいものである。
【産業上の利用可能性】
【００８５】
本発明にかかる冷蔵庫は、冷却能力が大きな冷蔵庫であっても野菜室内の結露発生を抑制し、良好な状態で野菜を冷却保存することができ、家庭用はもちろん業務用冷蔵庫にも幅広く適用することができる。
【符号の説明】
【００８６】
１  冷蔵庫本体
２  外箱
３  内箱
４  発泡断熱材
５，６  仕切板
７  冷蔵室
８  野菜室
９  冷凍室
１０，１１，１２  扉
１４  機械室
１５  圧縮機
１６  冷却室
１７  奥面仕切壁体
１８  冷却器
１９  冷却ファン
２０  開口
２１  突片
２２  上向き突片
２３  第一のヒータ
２４  断熱性遮壁
２５  冷気戻り通路用開口
２６  通路開口
２７  タンク設置部
２８  除霜ヒータ
２９  ドレンパン
３０  冷却室冷気搬送路
３１  冷蔵室ダンパ
３２  冷蔵冷気往き通路
３３  冷蔵冷気戻り通路
３４  冷凍室ダンパ
３５  冷蔵冷気入口
３６  冷蔵冷気戻り口
３７  往き通路
３８  戻り通路
３９  連通路
４０  冷気戻りダクト
４１  背面壁体
４２  冷凍冷気入口
４３  冷凍冷気戻り口
４４  野菜冷気入口
４６  野菜冷気戻り口
４７  第一の野菜冷気吸込み口
４７ａ  第一の通路
４８  野菜収納ケース
４９ａ  下段野菜収納ケース
４９ｂ  上段野菜収納ケース
５０  野菜室通路部
５１  第二の野菜冷気吸込み口
５１ａ  第二の通路
５２  第二の冷気循環路
５３  野菜室ファン
５４  吹出口
５５  傾斜面
５６  第二のヒータ
５７  コネクタ
５８  ケース仕切板
５９  非野菜収納部（ペットボトル等収納部）
６０  収納棚
６１  パーシャル室
６２  操作部
６３  冷凍室ケース
６４  製氷装置
６５  冷蔵室温度検知手段
６６  野菜室温度検知手段
６７  冷凍室温度検知手段
６８  制御部
【図１】
2020073836.tif 000003
【図２】
2020073836.tif 000004
【図３】
2020073836.tif 000005
【図４】
2020073836.tif 000006
【図５】
2020073836.tif 000007
【図６】
2020073836.tif 000008
【図７】
2020073836.tif 000009
【図８】
2020073836.tif 000010
【図９】
2020073836.tif 000011
【図１０】
2020073836.tif 000012
【図１１】
2020073836.tif 000013
【図１２】
2020073836.tif 000014
【図１３】
2020073836.tif 000015
【図１４】
2020073836.tif 000016
【図１５】
2020073836.tif 000017
【図１６】
2020073836.tif 000018
【図１７】
2020073836.tif 000019
【図１８】
2020073836.tif 000020
【図１９】
2020073836.tif 000021
【図２０】
2020073836.tif 000022
【図２１】
2020073836.tif 000023
【図２２】
2020073836.tif 000024
【図２３】
2020073836.tif 000025